(57)【要約】【課題】  公知の電球カバ−を有する照明器具は、電球を照明器具本体にセットするのみで、電球を固定する機能を有せず、運搬中しかも電球の軸が細いので、直接振動を受けて破損することが極めて多い。【解決手段】  照明器具本体の先端上部の凹部に設けられた放熱用有孔支持板と、その上端辺近くに水平に固着された蝶番の第１固定板と、該第１固定板の下端辺近く中間部と放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と電球の先端部外側に形成された間隙に部分的に嵌合される円形突起縁を有し、該略L字形連結板に固着された所要幅のリング状カバ−を常時内側に附勢する開閉自在リング状カバ−を有する照明器具。【選択図】  図４
0003111242.tif 000002
【実用新案登録請求の範囲】
【請求項１】
所要電球を包囲する形状を有する照明器具本体に於いて；該照明器具本体の先端上部に形成された凹部に設けられた放熱用有孔支持板と、該放熱用有孔支持板の上端辺近くに水平に固着された蝶番の第１固定板と、該第１固定板の下端辺近く中間部と該放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と該電球の先端部外側に形成された間隙に部分的に嵌合される円形突起縁を有し、該略L字形連結板に固着された所要幅のリング状カバ−とから成り、該半リング状板ばねを介して該リング状カバ−を常時内側に附勢する事を特徴とする開閉自在リング状カバ−を有する照明器具。
【請求項２】
所要電球を包囲する形状を有する照明器具本体に於いて；該照明器具本体の先端上部に形成された凹部に設けられた放熱用有孔支持板と、該放熱用有孔支持板の上端辺近くに水平に固着された蝶番の第１固定板と、該第１固定板の下端辺近く中間部と該放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と該電球の先端部外側に形成された間隙に部分的に嵌合される円形突起縁を有し、該略L字形連結板に固着された所要幅のリング状カバ−とから成り、該半リング状板ばねを介して該リング状カバ−を常時内側に附勢する事を特徴とする開閉自在リング状カバ−を有する照明器具であり、該リング状カバ−を硬質合成ゴム等製とすることを特徴とする請求項１記載の開閉自在リング状カバ−を有する照明器具。
【考案の詳細な説明】
【技術分野】
【０００１】
この考案は、開閉自在リング状固定カバ−を有する照明器具に関し、更に詳しくは運搬中の照明器具の電球の破損を防止する機能を有する開閉自在リング状固定カバ−を有する照明器具に関するものである。
【背景技術】
【０００２】
従来の電球カバ−は、図４、５に示す通り電球を固定する機能を備えていなく、且つ電球の軸が細いこともあり、運搬中直接振動を受けて破損し易かった。そして電球の破損は、その寿命によるロスよりも運搬中の破損によるロスがはるかに多いのが現状である。
【０００３】
従来提案されている電球カバ−を有する照明器具としては、
例えば、
【特許文献１】特公昭４３−２０５１８、
【特許文献２】特開昭５９−１１９６０１、
【特許文献３】特開２００２−４２５２２、
【特許文献４】実開昭６０−１７８９０９、等が挙げられる。
【考案の開示】
【考案が解決しようとする課題】
【０００４】
しかし、前述の通り、公知の電球カバ−を有する照明器具は、電球を照明器具本体にセットするのみで、電球を固定する機能が無く、且つ電球の軸が細いこともあり、運搬中直接振動を受けて破損することが極めて多かった。
【課題を解決するための手段】
【０００５】
この考案の第１要旨は、所要電球を包囲する形状を有する照明器具本体に於いて；該照明器具本体の先端上部に形成された凹部に設けられた放熱用有孔支持板と、該放熱用有孔支持板の上端辺近くに水平に固着された蝶番の第１固定板と、該第１固定板の下端辺近く中間部と該放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と該電球の先端部外側に形成された間隙に部分的に嵌合される円形突起縁を有し、該略L字形連結板に固着された所要幅のリング状カバ−とから成り、該半リング状板ばねを介して該リング状カバ−を常時内側に附勢する事を特徴とする開閉自在リング状カバ−を有する照明器具である。
【０００６】
この考案の第２要旨は、所要電球を包囲する形状を有する照明器具本体に於いて；該照明器具本体の先端上部に形成された凹部に設けられた放熱用有孔支持板と、該放熱用有孔支持板の上端辺近くに水平に固着された蝶番の第１固定板と、該第１固定板の下端辺近く中間部と該放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と該電球の先端部外側に形成された間隙に部分的に嵌合される円形突起縁を有し、該略L字形連結板に固着された所要幅のリング状カバ−とから成り、該半リング状板ばねを介して該リング状カバ−を常時内側に附勢する事を特徴とする開閉自在リング状カバ−を有する照明器具であり、該リング状カバ−を硬質合成ゴム等製とすることを特徴とする開閉自在リング状カバ−を有する照明器具である。
【考案の効果】
【０００７】
（１）この考案に係る開閉自在リング状固定カバ−を有する照明器具によれば、その先端上部に形成された凹部に設けられた放熱用有孔支持板と、その上端辺近くに水平に固着された蝶番の第１固定板と、その下端辺近く中間部と該放熱用有孔支持板とに形成された第１スリットと、該蝶番の第２固定板の下端辺近く中間部に形成された第２スリットとに嵌合された板ばねと、該第２固定板の上端辺に固着された略L字形連結板と、該照明器具本体の内側と該電球の先端部外側に形成された間隙に部分的に嵌合される円形突起縁を有し該略L字形連結板に固着された所要幅のリング状カバ−とから成り、該板ばねを介して該リング状カバ−を常時内側に附勢する事を特徴とする開閉自在リング状カバ−を有する照明器具であり、該リング状カバ−により電球の周囲を部分的に固定するので輸送中該電球が保護されて直接振動を受けても破損しないので、運搬中の電球の破損によるロスを格段に減少可能となる。
【０００８】
（２）この考案に係る開閉自在リング状固定カバ−を有する照明器具本体によれば、開閉自在リング状固定カバ−を板ばねにより内側に附勢する様に開閉自在に枢着したので照明器具本体への電球の着脱が極めて容易となる。
【０００９】
（３）従って、この考案に係る開閉自在リング状固定カバ−を有する照明器具によれば、開閉自在リング状固定カバ−としたので照明器具本体への電球の着脱が極めて容易なので、電球交換の作業が極めて効率的となる。
【００１０】
（４）この考案に係る開閉自在リング状固定カバ−を有する照明器具によれば、構成が簡易なので製作、取扱共に容易となる。
【考案を実施するための最良の形態】
【００１１】
この考案は、照明器具本体の先端上部に形成された凹部に設けられた放熱用有孔支持板と、該放熱用有孔支持板の上端辺近くに水平に固着された蝶番の第１固定板と、該第１固定板の下端辺近く中間部と該放熱用有孔支持板とに形成された第１スリットと、該蝶番の第２固定板の下端辺近く中間部に形成された第２スリットとに嵌合された半リング状板ばねと、該第２固定板の上端辺に固着された略L字形連結板と、該照明器具本体の内側と該電球の先端部外側に形成された間隙に部分的に嵌合される円形突起縁を有し該略L字形連結板に固着された所要幅のリング状カバ−とから成り、該半リング状板ばねを介して該リング状カバ−を常時内側に附勢する事を特徴とする開閉自在リング状カバ−を有する照明器具である。
【実施例】
【００１２】
図１〜８に於いて、請求項１記載のこの考案に係る開閉自在リング状カバ−を有する照明器具の実施例を説明する。所要照明器具１０のカバ−本体１２内に所要電球３４を設ける構成とし、該カバ−本体１２の上端辺１２ａの中間部に凹部１２ｂを形成する。
【００１３】
特に図３、４に於いて、該凹部１２ｂ内に放熱用有孔支持板１４を一体に設け、該放熱用有孔支持板１４の上端辺近くに蝶番16の第１固定板１６ａを水平に溶接等により固着し、該第１固定板１６ａの下端辺近くと該放熱用有孔支持板１４とに第１スリット１６ａ´を形成する。
尚、該蝶番１６は、そで型普通蝶番とする。
【００１４】
該第２固定板１６ｂの上端辺に略L字形連結板１８を溶接等により固着し、該略L字形連結板１８に後述のリング状カバ−２２を溶接等により固着する。
【００１５】
図３、４に示す通り、該リング状カバ−２２は、該照明器具本体１２の内側と該電球３４の先端部外側に形成された間隙３６に部分的に嵌合される所要幅のリング状カバ−円形突起縁２２ａを有する。
【００１６】
該第２固定板１６ｂの中間部で該第１固定板１６ａの該第１スリット１６ａ´に対応する箇所に第２スリット１６ｂ´を形成し、該第１スリット１６ａ´と該第２スリット１６ｂ´とに図７、８に示す半リング状板ばね２０を嵌合して該リング状カバ−２２を常時内側に附勢する照明器具１０とする。
【００１７】
尚、該照明器具１０の所要箇所に電源３２、電源コ−ド３４を接続する。
【００１８】
請求項２記載のこの考案に係る開閉自在リング状カバ−２２を有する照明器具１０に於いては、該開閉自在リング状カバ−２２を硬質合成ゴム等とする。
【図面の簡単な説明】
【００１９】
【図１】この考案に係る開閉自在リング状カバ−を有する照明器具を複数個並列した状態を示す斜視図である。
【図２】図１に示す照明器具に於いて、リング状カバ−を閉めた状態の1個の照明器具を右側から見た拡大斜視図である。
【図３】図２に示す照明器具に於いて、リング状カバ−を開いた状態の一部透視斜視略図である。
【図４】図３に示す照明器具を正面から見た一部透視斜視略図である。
【図５】図４に示す照明器具に於いて、その中の放熱用有孔支持板に蝶番を介してリング状カバ−を固着したものを取出した状態を示す斜視図である。
【図６】図５に示す放熱用有孔支持板と蝶番との固着部分の拡大斜視図である。
【図７】図３〜６に示す半リング状板ばねの側面図である。
【図８】図７に示す半リング状板ばねの斜視図である。
【図９】公知の開閉自在カバ−を有する照明器具を複数個並列した状態を示す斜視図である。
【図１０】図９に示す公知の開閉自在カバ−を有する１個の照明器具の一部透視正面略図である。
【符号の説明】
【００２０】
１０      照明器具；
１２      カバ−本体；
１２ａ      上端辺；
１２ｂ      凹部；
１４      放熱用有孔支持板；
１６      蝶番；
１６ａ      第１固定板；
１６ａ´      第１スリット；
１６ｂ      第２固定板；
１６ｂ´      第２スリット；
１８      略L字形連結板；
２０      半リング状板ばね；
２２      リング状カバ−；
２２ａ      リング状カバ−円形突起縁；
３０      電源；
３２      電源コ−ド；
３４      電球；
３６      間隙。
【図１】
0003111242.tif 000003
【図２】
0003111242.tif 000004
【図３】
0003111242.tif 000005
【図４】
0003111242.tif 000006
【図５】
0003111242.tif 000007
【図６】
0003111242.tif 000008
【図７】
0003111242.tif 000009
【図８】
0003111242.tif 000010
【図９】
0003111242.tif 000011
【図１０】
0003111242.tif 000012